(57)【特許請求の範囲】
【請求項１】
排泄液を吸収すべく下着に取り付けられて使用され、厚さ方向と幅方向と長手方向とを有する吸収性物品であって、
前記吸収性物品の本体部は、液体吸収性素材を含む吸収性コアを有し、
前記吸収性コアは、前記厚さ方向の肌側を向いた面に、前記肌側に突出する突出部を有し、
前記突出部は、前記吸収性コアにおける前記長手方向の中央部を囲む環状に形成されているとともに、前記突出部のうちの前記幅方向の各端部として、前記長手方向に平行な一対の第１直線状部分を前記幅方向に並んで有し、前記突出部のうちの前記長手方向の各端部として、前記幅方向に平行な一対の第２直線状部分を前記長手方向に並んで有し、
前記第２直線状部分の頂面の幅は、前記第１直線状部分の頂面の幅よりも大きく、
前記本体部のうちで前記厚さ方向の肌側を向いた面には、前記長手方向に沿って防漏壁部が設けられているとともに、前記防漏壁部が前記面から起立し始める起立開始位置が、前記第１直線状部分に対応する位置に設定されていることを特徴とする吸収性物品。
【請求項２】
請求項１に記載の吸収性物品であって、
前記突出部に囲まれた空間は、前記吸収性コアにおける長手方向の一端部から他端部までに亘って連続して存在していることを特徴とする吸収性物品。
【請求項３】
請求項１又は２に記載の吸収性物品であって、
前記突出部は、前記吸収性コアの外周縁部に沿って設けられていることを特徴とする吸収性物品。
【請求項４】
請求項１乃至３の何れかに記載の吸収性物品であって、
前記本体部のうちで前記厚さ方向の非肌側を向いた面には、前記本体部を前記下着に取り付けるための粘着部が設けられており、
前記突出部の前記第１直線状部分の少なくとも一部と前記粘着部とは、前記厚さ方向から見た場合に重なっていることを特徴とする吸収性物品。
【請求項５】
請求項１乃至４の何れかに記載の吸収性物品であって、
複数の前記吸収性コアが、前記厚さ方向に重ね合わせられていることを特徴とする吸収性物品。
【請求項６】
請求項１乃至５の何れかに記載の吸収性物品であって、
前記防漏壁部は、前記長手方向に沿って設けられたシート状部材と、前記長手方向に伸長された状態で前記シート状部材に固定された弾性部材と、を有し、
前記伸長された状態から前記弾性部材が収縮する際に前記シート状部材に付与される収縮力によって、前記シート状部材は前記長手方向に収縮して前記本体部の前記面から起立し、
前記収縮力は、前記長手方向の所定範囲の全長に亘って付与されており、
前記突出部のうちの前記長手方向の各端部の少なくとも一部が、前記所定範囲に含まれていることを特徴とする吸収性物品。
【請求項７】
請求項１乃至６の何れかに記載の吸収性物品であって、
前記本体部は、前記吸収性コアよりも前記厚さ方向の肌側に設けられる液透過性の表面シートを有し、
前記本体部のうちで前記厚さ方向の肌側を向いた面には、前記厚さ方向の肌側から前記表面シート及び前記吸収性コアの両者を一緒に圧搾してなる圧搾部がへこんで形成されており、
前記本体部のうちで前記突出部に囲まれた部分の前記幅方向の中央部には、前記圧搾部が、前記長手方向に沿って設けられていることを特徴とする吸収性物品。
【請求項８】
請求項１乃至７の何れかに記載の吸収性物品であって、
前記吸収性コアは、坪量の分布パターンに基づいて前記液体吸収性素材が前記厚さ方向に積層されて形成され、
前記厚さ方向を法線方向とする平面上において、前記突出部を有する位置の坪量の方が、前記突出部を有しない位置の坪量よりも大きいことを特徴とする吸収性物品。
【発明の詳細な説明】
【技術分野】
【０００１】
本発明は、下着に取り付けて使用される尿取りパッドなどの吸収性物品に関する。
【背景技術】
【０００２】
従来、排泄液としての尿を吸収する吸収性物品として使い捨ておむつが使用されている。このおむつは、パルプ繊維等の液体吸収性素材で形成された吸収性コアと、吸収性コアを厚さ方向の肌側から覆う液透過性の表面シートと、同コアを非肌側から覆う液不透過性の裏面シートと、を有している。また、おむつの展開形状は、長手方向と幅方向と厚さ方向とを有した略砂時計形状をなしている。すなわち、長手方向の中央部が幅方向にくびれた形状をなしている。そして、くびれた部分が股下部として着用者の股間にあてがわれ、股下部よりも長手方向の前側部分が前身頃として着用者の下腹部にあてがわれ、股下部よりも長手方向の後側部分が後身頃として着用者の臀部にあてがわれて、これにより、着用者の下半身に装着される。そして、通常は、おむつを装着したら、その上に直接ズボンやスカート等の衣類を履くようになっており、つまり、かかるおむつは、パンツ等の下着の代わりに使用される吸収性物品である。
【０００３】
特許文献１には、このおむつの一例が開示されている。図１Ａは、そのおむつ１０１の概略平面図である。また、図１Ｂは、図１Ａ中のＢ−Ｂ断面図であって、吸収性コア１１１のみを示している。この例では、吸収性コア１１１の平面形状が、長手方向の中央部の位置で幅方向にくびれた略砂時計形状をなしている。そして、当該特許文献１には、かかる吸収性コア１１１の構成に関して、２つの例が開示されている。すなわち、図１Ａに示すように、吸収性コア１１１における幅方向の両側の各縁部に沿って、それぞれ肌側に突出した突出部１１３，１１３が形成された構成と、図１Ｃに示すように、上記一対の突出部１１３，１１３に加えて、更に吸収性コア１１１の長手方向の前側の縁部に、肌側に突出した突出部１１５が形成された構成とが開示されている。そして、前者の構成では、吸収性コア１１１の肌側面上に滞留する尿を、幅方向の両側の各突出部１１３，１１３で堰き止めることにより、幅方向の尿漏れを防ぐことが可能であり、また、後者の構成では、更に長手方向の前方からの尿漏れも防ぐことができる。
【先行技術文献】
【特許文献】
【０００４】
【特許文献１】特表２００６−５２６４３８号公報
【発明の概要】
【発明が解決しようとする課題】
【０００５】
ところで、特に成人にあっては、おむつを履くことへの心理的抵抗は大きく、その必要性を感じながらも、おむつを使用できずにいる人もいる。
【０００６】
そのため、最近では、おむつの代用品として、下着に取り付けて使用される尿取りパッドも使用されている。そして、かかる尿取りパッドであれば、その使用形態が生理用ナプキンと類似しており、つまり、同パッドを下着に取り付けてその下着を履くことにより身体に装着される。そのため、生理用ナプキンと同じような使用感で使用可能であり、おむつのときのような心理的抵抗を感じずに使用することができる。
【０００７】
しかし、尿取りパッドは、軽失禁用が多く、切迫性失禁などのように大量の尿が一気に排出される重度の失禁用のものは、あまり市場に提供されていない。そのため、大量の尿が一気に排出された場合には、吸収性コアで瞬時に吸収しきれない分の尿が、吸収性コアの肌側面上に滞留して、当該尿が、幅方向の両側及び長手方向の両側へと一気に流れてしまい、尿取りパッドの四方から漏れ出す恐れがある。
【０００８】
ここで、この吸収しきれない尿の四方からの漏出を防ぐ手立てとして、尿取りパッドに対して上記のおむつの特許文献１に開示の吸収性コア１１１の構成を適用することも考えられる。
【０００９】
しかしながら、特許文献１に開示の二構成のどちらも、肌側に突出する突出部１１３，１１３，１１５が、吸収性コア１１１の外周縁部を、その全周に亘って囲んでいないことから、吸収性コア１１１で即座に吸収しきれない分の尿が、同コア１１１の肌側面において突出部１１３，１１３，１１５の無いところから外部へ漏出してしまう恐れがある。
【００１０】
また、図１Ａに示すように、幅方向の両側の各縁部に形成された各突出部１１３，１１３は、吸収性コア１１１の略砂時計形状の外形に沿って形成されていることから、同突出部１１３，１１３は、長手方向に沿った直線形状ではなく、長手方向の位置に応じて幅方向の位置が変化するような湾曲形状をなしている。そのため、尿取りパッドの長手方向を下着の前後方向に沿わせながら同パッドを下着に取り付ける際に、下着上の適正位置から長手方向のずれた位置に同パッドを取り付けてしまった場合には、幅方向に並ぶ一対の突出部１１３，１１３が奏し得る幅方向の尿の堰き止め効果が、本来奏し得るレベルから変わってしまう可能性があって、つまり、適正位置に取り付けた場合に奏し得る所期の防漏性から大きく減退してしまう恐れがある。そして、このように正しく下着に取り付けられないという事態は、特に尿取りパッドが必要となる高齢者に起こりがちである。
【００１１】
本発明は、上記のような従来の問題に鑑みてなされたものであって、その目的は、切迫性失禁などのように大量の排泄液を一気に排出した場合でも、外部への漏出を有効に防止可能であるとともに、下着に吸収性物品を取り付ける際に、同下着上の適正位置から長手方向にずれて取り付けた場合でも、防漏性を大きく損なうことなく概ね所期の防漏性を発揮可能にすることにある。
【課題を解決するための手段】
【００１２】
上記目的を達成するための主たる本発明は、
排泄液を吸収すべく下着に取り付けられて使用され、厚さ方向と幅方向と長手方向とを有する吸収性物品であって、
前記吸収性物品の本体部は、液体吸収性素材を含む吸収性コアを有し、
前記吸収性コアは、前記厚さ方向の肌側を向いた面に、前記肌側に突出する突出部を有し、
前記突出部は、前記吸収性コアにおける前記長手方向の中央部を囲む環状に形成されているとともに、前記突出部のうちの前記幅方向の各端部として、前記長手方向に平行な一対の第１直線状部分を前記幅方向に並んで有し、前記突出部のうちの前記長手方向の各端部として、前記幅方向に平行な一対の第２直線状部分を前記長手方向に並んで有し、
前記第２直線状部分の頂面の幅は、前記第１直線状部分の頂面の幅よりも大きく、
前記本体部のうちで前記厚さ方向の肌側を向いた面には、前記長手方向に沿って防漏壁部が設けられているとともに、前記防漏壁部が前記面から起立し始める起立開始位置が、前記第１直線状部分に対応する位置に設定されていることを特徴とする吸収性物品である。
本発明の他の特徴については、本明細書及び添付図面により明らかにする。
【発明の効果】
【００１３】
本発明によれば、切迫性失禁などのように大量の排泄液を一気に排出した場合でも、外部への漏出を有効に防止可能であるとともに、下着に吸収性物品を取り付ける際に、同下着上の適正位置から長手方向にずれて取り付けた場合でも、防漏性を大きく損なうことなく概ね所期の防漏性を発揮可能となる。
【図面の簡単な説明】
【００１４】
【図１】図１Ａは、吸収性コア１１１に尿を堰き止める突出部１１３，１１３が幅方向の両側の各縁部に設けられた特許文献１のおむつ１０１の概略平面図であり、図１Ｂは、図１Ａ中のＢ−Ｂ断面図であって、吸収性コア１１１のみを示す図であり、図１Ｃは、更に吸収性コア１１１の長手方向の前側にも突出部１１５が設けられた同おむつ１０１の概略平面図である。
【図２】本実施形態に係る吸収性物品としての尿取りパッド１を平面に展開した状態の概略平面図である。
【図３】図３Ａは、図２中のＡ−Ａ断面図であり、図３Ｂは、図２中のＢ−Ｂ断面図であり、図３Ｃは、図２中のＣ−Ｃ断面図である。
【図４】尿取りパッド１を非肌側から見た概略平面図である。
【図５】基端部４１ｂの位置を示す尿取りパッド１の概略平面図である。
【図６】図６Ａは、尿取りパッド１のうちで吸収性コア１１以外のものを透視して示す概略平面図であり、図６Ｂ及び図６Ｃは、それぞれ図６Ａ中のＢ−Ｂ断面図及びＣ−Ｃ断面図であって、吸収性コア１１のみを示す図である。
【図７】尿取りパッド１の概略斜視図であって、同パッド１の本体部１ｓの中央部１ｓＣが非肌側にへこんで、同本体部１ｓがカップ形状になった状態を示す図である。
【図８】本実施形態に係る変形例の尿取りパッド１の説明図であって、図２中のＢ−Ｂ断面図に相当する図である。
【図９】図９Ａは、その他の実施形態の尿取りパッド１のうちで吸収性コア１１以外のものを透視して示す概略平面図であり、図９Ｂ及び図９Ｃは、それぞれ図９Ａ中のＢ−Ｂ断面図及びＣ−Ｃ断面図であって、吸収性コア１１のみを示す図である。
【発明を実施するための形態】
【００１５】
本明細書及び添付図面の記載により、少なくとも以下の事項が明らかとなる。  
排泄液を吸収すべく下着に取り付けられて使用され、厚さ方向と幅方向と長手方向とを有する吸収性物品であって、
前記吸収性物品の本体部は、液体吸収性素材を含む吸収性コアを有し、
前記吸収性コアは、前記厚さ方向の肌側を向いた面に、前記肌側に突出する突出部を有し、
前記突出部は、前記吸収性コアにおける前記長手方向の中央部を囲む環状に形成されているとともに、前記突出部のうちの前記幅方向の各端部として、前記長手方向に平行な一対の直線状部分を前記幅方向に並んで有し、
前記本体部のうちで前記厚さ方向の肌側を向いた面には、前記長手方向に沿って防漏壁部が設けられているとともに、前記防漏壁部が前記面から起立し始める起立開始位置が、前記直線状部分に対応する位置に設定されていることを特徴とする吸収性物品である。
【００１６】
このような吸収性物品によれば、吸収性コアの突出部は、長手方向の中央部を囲むように環状に形成されている。そのため、切迫性失禁などで大量の排泄液が一気に排出された際に、吸収性コアで瞬時に吸収し切れない分の排泄液を、環状の突出部で有効に堰き止めることができる。すなわち、突出部で囲まれた空間に、排泄液を一時貯留しておくことができる。そして、これにより、吸収性コアが排泄液を吸収し終えるまで本体部から排泄液が漏出しないように、当該吸液時間分の時間稼ぎをすることができて、結果、長手方向及び幅方向からの排泄液の漏出を有効に防ぐことができる。
【００１７】
また、突出部は、長手方向の中央部を囲むように環状に形成されているので、同突出部に囲まれた空間を、長手方向の中央位置の両側に連続して広く形成することができる。そして、排出後の排泄液が当該空間を流れることによって、この排泄液を比較的短時間のうちに長手方向の広い範囲に拡散することができる。また、かかる拡散後には、排泄液は、自身が流れ着いた位置の吸収性コアの部分に順次吸収される。そのため、全体として排泄液の吸収に寄与し得る吸収性コアの面積の拡大を図れて、その結果、単位時間当たりの吸収量を大きくすることができて、このことも、上述の切迫性失禁などに対する防漏性の向上に寄与する。
【００１８】
更に、突出部は中央部を囲むように環状に形成されているので、突出部のうちで長手方向の一端側の半部と他端側の半部とを互いにほぼ同形状にすることができる。よって、下着に吸収性物品を取り付ける際に、着用者が、吸収性物品の長手方向の一端側と他端側とを取り違えて、本来の向きと逆に吸収性物品を取り付けてしまった場合であっても、上記の長手方向に関する突出部の略対称形状に基づいて、吸収性物品は、その防漏効果を大きく損なうことなく所期の防漏性でもってそのまま着用されることができる。すなわち、当該吸収性物品によれば、フールプルーフ効果も奏することができる。
【００１９】
また、突出部は、長手方向に平行な一対の直線状部分を幅方向に並んで有している。よって、着用者が下着に吸収性物品を取り付ける際に、適正位置から長手方向のずれた位置に取り付けた場合であっても、一対の直線状部分が奏し得る幅方向の堰き止め効果は概ね変化せず、これにより、かかる場合も、突出部は所期の防漏性を奏することができる。
【００２０】
更に、本体部のうちで肌側を向いた面には防漏壁部が設けられており、この防漏壁部の起立開始位置が、吸収性コアの上記突出部の直線状部分に対応する位置に設定されている。よって、防漏壁部と直線状部分とが互い協同して、高い堰として機能し得て、このことも、幅方向の防漏性の向上に有効に寄与する。
【００２１】
かかる吸収性物品であって、
前記突出部に囲まれた空間は、前記吸収性コアにおける長手方向の一端部から他端部までに亘って連続して存在しているのが望ましい。
【００２２】
このような吸収性物品によれば、突出部に囲まれた空間は、長手方向の一端部から他端部までに亘って連続して存在している。よって、当該空間を広く確保することができて、これにより、排泄液を一時貯留可能な容量を大きくできる。そして、その結果、吸収性コアが排泄液を吸収し終えるまでの時間稼ぎを確実にすることができる。
【００２３】
かかる吸収性物品であって、
前記突出部は、前記吸収性コアの外周縁部に沿って設けられているのが望ましい。
【００２４】
このような吸収性物品によれば、突出部は、吸収性コアの外周縁部に沿って設けられている。よって、吸収性コアに外形寸法上の制約がある場合に、その制約下において、突出部で囲まれた空間を最も広く確保することができて、これにより、排泄液を一時貯留可能な容量を最大にすることができる。よって、吸収性コアが排泄液を吸収し終えるまでの時間稼ぎを確実にすることができる。
【００２５】
かかる吸収性物品であって、
前記本体部のうちで前記厚さ方向の非肌側を向いた面には、前記本体部を前記下着に取り付けるための粘着部が設けられており、
前記突出部の前記直線状部分の少なくとも一部と前記粘着部とは、前記厚さ方向から見た場合に重なっているのが望ましい。
【００２６】
このような吸収性物品によれば、突出部の直線状部分の少なくとも一部と粘着部とは、厚さ方向から見て重なっている。そのため、少なくとも突出部の直線状部分の一部は、下着に対して概ね移動不能に規制される。よって、着用者が下着を装着した際に、下着が着用者の股間に沿わされるのに伴って、直線状部分及び同直線状部分上で起立する防漏壁部も、着用者の股間に沿うようになって、その結果、直線状部分及び防漏壁部を、着用者の股間にほぼ密着した状態にすることができる。そして、これにより、長手方向及び幅方向からの排泄液の漏出を、より有効に防ぐことができる。
【００２７】
かかる吸収性物品であって、
複数の前記吸収性コアが、前記厚さ方向に重ね合わせられているのが望ましい。
【００２８】
このような吸収性物品によれば、突出部の吸液可能容量を高く確保しながら、着用時の突出部による違和感についても抑制することができる。詳しくは次の通りである。突出部の突出高さが高い場合には、突出部が着用者の股間に強く当たるなどして、着用者は違和感を感じ易い。一方、突出部の突出高さを低くすると、突出部の吸液可能容量が低くなる恐れがある。ここで、着用時に股間に当たるのは、最も肌側に位置する吸収性コアだけである。よって、各吸収性コアの突出部の突出高さを低くしながら、当該突出高さを低くした吸収性コアを厚さ方向に複数重ね合わせれば、突出部の突出高さの合計値で決まる吸液可能容量を高くしながら、一つの吸収性コアの突出部の突出高さで決まる股間の違和感を抑制することができる。
【００２９】
かかる吸収性物品であって、
前記防漏壁部は、前記長手方向に沿って設けられたシート状部材と、前記長手方向に伸長された状態で前記シート状部材に固定された弾性部材と、を有し、
前記伸長された状態から前記弾性部材が収縮する際に前記シート状部材に付与される収縮力によって、前記シート状部材は前記長手方向に収縮して前記本体部の前記面から起立し、
前記収縮力は、前記長手方向の所定範囲の全長に亘って付与されており、
前記突出部のうちの前記長手方向の各端部の少なくとも一部が、前記所定範囲に含まれているのが望ましい。
【００３０】
このような吸収性物品によれば、弾性部材の収縮力によって、突出部のうちの長手方向の各端部は、それぞれ肌側に持ち上げられて、これにより、肌側との間の隙間を小さくすることができる。よって、長手方向に流れる排泄液を、上記の長手方向の各端部で確実に堰き止めることができる。
【００３１】
かかる吸収性物品であって、
前記本体部は、前記吸収性コアよりも前記厚さ方向の肌側に設けられる液透過性の表面シートを有し、
前記本体部のうちで前記厚さ方向の肌側を向いた面には、前記厚さ方向の肌側から前記表面シート及び前記吸収性コアの両者を一緒に圧搾してなる圧搾部がへこんで形成されており、
前記本体部のうちで前記突出部に囲まれた部分の前記幅方向の中央部には、前記圧搾部が、前記長手方向に沿って設けられているのが望ましい。
【００３２】
このような吸収性物品によれば、本体部のうちで上記突出部に囲まれた部分の中央部には、圧搾部が肌側から形成されている。よって、かかる圧搾部を折り起点として、本体部が、幅方向の略中央位置で非肌側にへこむように折れ曲がり、これにより、突出部に囲まれた空間を拡大することができる。そして、その結果、同空間でより確実に尿を一時貯留可能となる。
【００３３】
かかる吸収性物品であって、
前記吸収性コアは、坪量の分布パターンに基づいて前記液体吸収性素材が前記厚さ方向に積層されて形成され、
前記厚さ方向を法線方向とする平面上において、前記突出部を有する位置の坪量の方が、前記突出部を有しない位置の坪量よりも大きいのが望ましい。
【００３４】
このような吸収性物品によれば、突出部を有する位置の坪量（ｇ／ｍ２）の方が、突出部を有しない位置の坪量よりも大きくなっている。そのため、突出部を有しない位置たる突出部で囲まれた位置よりも、突出部を有する位置の方が吸液後の膨潤量が大きくなる。よって、排泄液の吸液後においても、突出部を有する位置の方がより大きく肌側に突出するため、突出部で囲まれた空間を広く確保可能となる。そして、その結果、次回の排泄液の排出時にも、吸収性コアで瞬時に吸収し切れない排泄液を、同空間で問題無く一時貯留可能となる。
【００３５】
＝＝＝本実施形態＝＝＝
図２は、本実施形態に係る吸収性物品としての尿取りパッド１を平面に展開した状態の概略平面図である。また、図３Ａは、図２中のＡ−Ａ断面図であり、図３Ｂは、図２中のＢ−Ｂ断面図であり、図３Ｃは、図２中のＣ−Ｃ断面図である。
【００３６】
図２に示すように、尿取りパッド１は、互いに直交する三方向として長手方向と幅方向と厚さ方向とを有する。そして、尿取りパッド１の長手方向と幅方向とで規定される平面形状は、縦長形状の一例として略長方形をなしている。  
なお、以下では、厚さ方向に関して、人体に接触する側のことを「肌側」とも言い、下着に接する側のことを「非肌側」とも言う。また、長手方向のことを「前後方向」とも言い、幅方向のことを「左右方向」とも言う。なお、人体への装着時には、尿取りパッド１の長手方向の前側は、人体の腹側を向き、後側は、人体の背側を向く。また、尿取りパッド１の長手方向の寸法は、幅方向の寸法よりも長く、幅方向の寸法は厚さ方向の寸法よりも長くなっている。
【００３７】
図２及び図３Ｂに示すように、尿取りパッド１は、使用時に下着に取り付けられる本体部１ｓを有する。本体部１ｓは、尿を吸収する液体吸収性素材で形成された吸収性コア１１と、吸収性コア１１を厚さ方向の肌側から覆う液透過性の表面シート２１と、同コア１１を非肌側から覆う液不透過性の裏面シート３１と、を有する。
【００３８】
吸収性コア１１は、例えば二種類の液体吸収性素材として液体吸収性繊維と液体吸収性粒状物とが混合されてなる混合物を、所定形状の一例として略矩形平板形状に成形したものである。この例では、液体吸収性繊維としてパルプ繊維を使用し、また液体吸収性粒状物として高吸収性ポリマー（以下、ＳＡＰとも言う）を用いているが、何等これに限らない。例えば前者の液体吸収性繊維として、コットン等のセルロース、レーヨン等の再生セルロース、アセテート等の半合成セルロースなどを用いても良く、また後者の液体吸収性粒状物として、ＳＡＰ以外の液体吸収性の粒状物を用いても良い。
【００３９】
また、この例では、かかる液体吸収性繊維とＳＡＰとが、１：１の配合比（重量比）で混合されているが、これ以外の配合比でも良く、更には、どちらか一方だけを含んでいても良い。また、上記の二種類の液体吸収性素材に加えて、或いはどちらか一方に代えて、別種の液体吸収性素材が混合されていても良い。また、この例では、吸収性コア１１は、ティッシュペーパー等の液透過性シートで被覆されていないが、被覆されていても良い。更に、この例では、設けていないが、吸収性コア１１と表面シート２１との間に、液透過性のセカンドシートとして、適宜な不織布又はティッシュペーパー等を介挿しても良い。  
ちなみに、本実施形態の工夫の一つとして、この吸収性コア１１の形状が挙げられるが、これについては後述する。
【００４０】
図２及び図３Ｂに示すように、表面シート２１は、人体から排泄された尿を受け止めて速やかに厚さ方向に吸い込んで吸収性コア１１へと導くものであり、例えば吸収性コア１１の平面形状よりも大きな略長方形のシートが使用される。この表面シート２１の素材には、例えばエアスルー不織布やスパンボンド不織布等の不織布が使用され、不織布の構成繊維としては、例えばポリエチレンやポリエチレンテレフタレート等の熱可塑性樹脂繊維が用いられる。また、表面シート２１の肌側面には、厚さ方向の肌側から表面シート２１及び吸収性コア１１の両者が一緒に圧搾されてなる圧搾部Ｅが形成されており、これにより、表面シート２１と吸収性コア１１との両者は接合一体化されている。なお、この圧搾部Ｅの形成パターンも、本実施形態の工夫の一つをなすので、これについても後述する。
【００４１】
図４に、尿取りパッド１を非肌側から見た概略平面図を示す。図４及び図３Ｂに示すように、裏面シート３１は、尿取りパッド１の本体部１ｓの非肌側からの尿漏れを防止する防漏シート３１であり、その平面形状は、吸収性コア１１よりも大きな略長方形形状である。すなわち、その外周縁部は、全周に亘って吸収性コア１１よりも外方にはみ出している。そして、この裏面シート３１に吸収性コア１１を載せた状態で、例えば長手方向の各端部及び幅方向の各端部にて表面シート２１と熱溶着等で接合され、これにより、裏面シート３１と表面シート２１との間に吸収性コア１１が保持されている。なお、この裏面シート３１と表面シート２１との間に吸収性コア１１が保持された状態のものが、前述した尿取りパッド１の本体部１ｓに相当する。かかる裏面シート３１の素材としては、例えばポリエチレンやポリエチレンテレフタレート等の熱可塑性樹脂を素材とするフィルムなどが使用される。
【００４２】
また、裏面シート３１の非肌側面には、下着に尿取りパッド１を移動不能に取り付けるためのずれ止め用粘着部３３，３３が形成されている。このずれ止め用粘着部３３，３３の形成は、例えば裏面シート３１の非肌側面の所定位置にホットメルト系接着剤を塗布することでなされるが、このずれ止め用粘着部３３，３３の形成位置も、本実施形態の工夫の一つをなすので、これについても後述する。
【００４３】
図２及び図３Ｂに示すように、尿取りパッド１の本体部１ｓには、幅方向の端側への尿漏れを防ぐ目的で、吸収性コア１１の幅方向の各端部に対応させて、一対の防漏壁部４０，４０が設けられている。一対の防漏壁部４０，４０は、それぞれ、撥水処理等されたＳＭＳ不織布等からなるサイドシート４１，４１（シート状部材に相当）によって形成されている。各サイドシート４１，４１は、長手方向に沿って表面シート２１の幅方向の各端部を肌側から覆って設けられている。そして、吸収性コア１１の幅方向の各端部に対応する位置で、表面シート２１に熱溶着等で固定されており、これにより、基端部４１ｂが形成されている。なお、この基端部４１ｂから幅方向の略中央側に延びる部分４１ｆは、自由端部分４１ｆであり、つまり当該部分４１ｆが基本的に防漏壁部４０となる。一方、同基端部４１ｂから幅方向の端側に延びる部分４１ｓは、尿取りパッド１の幅方向の端縁にまで至っており、そして、かかる部分は、表面シート２１又は裏面シート３１に重ね合わせられて、同端縁で、熱溶着等で表面シート２１又は裏面シート３１に接合されている。
【００４４】
ここで、自由端部分４１ｆには、長手方向に沿った糸ゴム等の弾性部材４５が伸長状態でホットメルト系接着剤により固定されている。よって、表面シート２１側が内周側となるように尿取りパッド１を長手方向に湾曲させると、弾性部材４５が長手方向に収縮して当該収縮力が自由端部分４１ｆに付与されるが、そうすると、自由端部分４１ｆは長手方向に収縮して表面シート２１から起立して、これにより同自由端部分４１ｆは防漏壁部４０として機能する。なお、図３Ｂの例では、自由端部分４１ｆ及び基端部４１ｂが、折り返しにより二枚重ねのサイドシート４１で構成されており、そして、自由端部分４１ｆの二枚重ねの間に弾性部材４５が介挿されているが、何等これに限らない。
【００４５】
また、図５の概略平面図中においては、基端部４１ｂをハッチングで示しているが、この例では、基端部４１ｂの幅方向の大きさは、長手方向の前端部４１ｂ１と後端部４１ｂ２とについては広く設定され、他方、これら前端部４１ｂ１と後端部４１ｂ２との間の中間部４１ｂ３については、幅方向の中央側がえぐれたように狭く設定されている。そして、これにより、防漏壁部４０の起立高さを中間部４１ｂ３にて優先的に高くして、尿の堰き止め作用の最適化を図っているが、何等これに限らない。例えば、基端部４１ｂの幅方向の大きさが、長手方向の全長に亘って一定幅とされていても良い。
【００４６】
また、図２、図３Ａ、及び図３Ｃに示すように、自由端部分４１ｆのうちの前端部４１ｆａ及び後端部４１ｆｂは、基端部４１ｂ上に伏せられた状態で、ホットメルト系接着剤等により同基端部４１ｂに接合固定されており、これにより、前端部４１ｆａ及び後端部４１ｆｂは、起立しない未起立部とされている。よって、弾性部材４５の収縮力は、専ら、自由端部分４１ｆのうちの前端部４１ｆａと後端部４１ｆｂとの間に存在する中間部分４１ｆｍのみに選択的に付与されて、当該中間部分４１ｆｍが収縮して防漏壁部４０として起立するようになっている。
【００４７】
以上、本実施形態の尿取りパッド１の基本構成について説明してきたが、本実施形態の尿取りパッド１は、種々の工夫に基づいて、切迫性失禁等の大量の尿の排出に対する防漏性が高められており、以下では、その工夫について説明する。
【００４８】
先ず、吸収性コア１１に対してなされた工夫について説明する。図６Ａは、尿取りパッド１のうちで吸収性コア１１以外のものを透視して示す概略平面図である。また、図６Ｂ及び図６Ｃは、それぞれ図６Ａ中のＢ−Ｂ断面図及びＣ−Ｃ断面図であり、どちらの図も吸収性コア１１のみを示している。
【００４９】
既述のように吸収性コア１１の平面形状は略長方形である。しかし、図６Ａ乃至図６Ｃに示すように、この吸収性コア１１は、その肌側面に、肌方向に突出した突出部１１Ｐを有しており、しかも、かかる突出部１１Ｐは、吸収性コア１１の肌側面の外周縁部の全周に亘って連続して形成されている。そして、これにより、突出部１１Ｐは、吸収性コア１１における長手方向の中央部１１Ｃを囲むように環状に形成されている。
【００５０】
よって、切迫性失禁などで大量の尿が一気に排出された場合には、吸収性コア１１で瞬時に吸収し切れない分の尿を、環状の突出部１１Ｐで有効に堰き止めることができる。すなわち、突出部１１Ｐで囲まれた空間ＳＰ１１に、尿を一時貯留しておくことができる。そして、これにより、吸収性コア１１が尿を吸収し終えるまで尿取りパッド１の本体部１ｓから尿が漏出しないように、当該吸収時間分の時間稼ぎをすることができて、その結果、長手方向及び幅方向からの尿漏れを有効に防ぐことができる。
【００５１】
また、突出部１１Ｐは吸収性コア１１の外周縁部に沿って形成されているので、同突出部１１Ｐに囲まれた空間ＳＰ１１は、長手方向の中央位置ＣＬＬの両側たる前側及び後側にそれぞれ連続して広く形成されている。すなわち、同空間ＳＰ１１は、吸収性コア１１において長手方向の前端部から後端部までに亘って連続して存在している。そして、排出後の尿が当該空間ＳＰ１１を流れることによって、この尿を比較的短時間のうちに長手方向の広い範囲に拡散する。また、かかる拡散後には、尿は、自身が流れ着いた位置の吸収性コア１１の部分に順次吸収される。そのため、全体として尿の吸収に寄与し得る吸収性コア１１の面積の拡大を図れて、その結果、単位時間当たりの吸収量を大きくすることができて、このことも、上述の切迫性失禁に対する防漏性の向上に寄与する。
【００５２】
更に、図６Ａに示すように、環状の突出部１１Ｐのうちで長手方向の前側の半部と後側の半部とは互いにほぼ同形状になっている。よって、下着に尿取りパッド１を取り付ける際に、着用者が、尿取りパッド１の長手方向の前側と後側とを取り違えて、本来の向きと逆に尿取りパッド１を取り付けてしまった場合であっても、上記の長手方向に関する突出部１１Ｐの略対称形状に基づいて、尿取りパッド１は、その防漏効果を大きく損なうことなく所期の防漏性でもってそのまま着用されることができる。すなわち、当該尿取りパッド１によれば、フールプルーフ効果も奏することができる。
【００５３】
また、突出部１１Ｐは、幅方向の各端部として、長手方向に平行な一対の第１直線状部分１１Ｐ１，１１Ｐ１（直線状部分に相当）を幅方向に並んで有するとともに、長手方向の各端部として、幅方向に平行な一対の第２直線状部分１１Ｐ２，１１Ｐ２を長手方向に並んで有している。例えば、各第１直線状部分１１Ｐ１，１１Ｐ１は、それぞれ略台形の断面形状を有し、この断面形状が長手方向に一定に維持されつつ、長手方向に平行に連続しており、また、各第２直線状部分１１Ｐ２，１１Ｐ２も、それぞれ略台形の断面形状を有し、この断面形状が幅方向に一定に維持されつつ、幅方向に平行に連続している。
【００５４】
よって、着用者が下着に尿取りパッド１を取り付ける際に、仮に、適正位置から長手方向のずれた位置に取り付けたとしても、当該一対の第１直線状部分１１Ｐ１，１１Ｐ１が奏し得る幅方向の尿の堰き止め効果は概ね変化せず、これにより、かかる位置ずれ時にも、所期の防漏性を奏することができる。
【００５５】
なお、上記のように、第１直線状部分１１Ｐ１の平面形状は、長手方向に平行な帯状であり、また、第２直線状部分１１Ｐ２の平面形状は、幅方向に平行な帯状である。つまり、第１直線状部分１１Ｐ１及び第２直線状部分１１Ｐ２のどちらも、それぞれ、肌側に帯状の頂面１１Ｐ１ｔ，１１Ｐ２ｔを有しているが、ここで、各頂面１１Ｐ１ｔ，１１Ｐ２ｔの幅寸は、例えば１０ｍｍ以上に設定されている。そして、このように設定されていれば、突出部１１Ｐまで到達した尿を確実に堰き止めることができる。  
また、図６Ｂ及び図６Ｃに示す突出部１１Ｐの突出高さＬ１１Ｐは、望ましくは０．５ｍｍ〜５ｍｍの範囲に設定され、より望ましくは、１．５ｍｍ〜３ｍｍの範囲に設定され、この例では、２．０ｍｍを目標値として設定されている。そして、このような範囲に設定されていれば、０．５ｍｍ未満の場合に起こり得る問題、すなわち、吸収前の尿を一時的に保管する空間の不足の問題を解決でき、また５．０ｍｍを超える場合に起こり得る問題、すなわち、着用者の肌と接触したときの違和感の問題を解決することができる。
【００５６】
ちなみに、本実施形態では、突出部１１Ｐの全周に亘って、突出部１１Ｐの突出高さＬ１１Ｐを一定にしているが、何等これに限らず、突出部１１Ｐの突出高さＬ１１Ｐを場所に応じて異ならせても良い。また、上記の突出高さＬ１１Ｐとは、突出部１１Ｐに一切の外力が作用しない無負荷状態（自然状態）での高さのことであるが、このことは、上記の突出部１１Ｐの幅寸についても同様である。
【００５７】
また、場合によっては、図６Ｂのように、第１直線状部分１１Ｐ１の頂面１１Ｐ１ｔの幅寸よりも第２直線状部分１１Ｐ２の頂面１１Ｐ２ｔの幅寸を大きくすると良く、このようにすれば、尿取りパッド１の長手方向に流れ易い尿を確実に堰き止めることができる。この例では、第１直線状部分１１Ｐ１の頂面１１Ｐ１ｔの幅寸は１５ｍｍとされ、第２直線状部分１１Ｐ２の頂面１１Ｐ２ｔの幅寸は５２ｍｍとされている。
【００５８】
このような突出部１１Ｐを有した吸収性コア１１の形成は、同コア１１の構成材料たる液体吸収性素材の坪量（ｇ／ｍ２）を、吸収性コア１１の肌側面上での位置に応じて異ならせることによって実現されている。すなわち、厚さ方向を法線方向とする平面上において、突出部１１Ｐを有しない位置の坪量よりも、突出部１１Ｐを有する位置の坪量の方が大きくなるように坪量の分布パターンが設計され、この分布パターンに基づいて液体吸収性素材が厚さ方向に積層されて当該吸収性コア１１が形成されている。
【００５９】
そして、このように形成されていれば、突出部１１Ｐを有しない位置たる突出部１１Ｐで囲まれた位置よりも、突出部１１Ｐを有する位置の方が、尿を吸収後の膨潤量が大きくなる。よって、当該尿の吸収後においても、突出部１１Ｐを有する位置の方がより大きく肌側に突出し、これにより、突出部１１Ｐで囲まれた空間ＳＰ１１を広い状態に維持することができる。そして、その結果、次回の尿の排出時にも、吸収性コア１１で瞬時に吸収し切れない尿を、同空間ＳＰ１１で何等問題無く一時貯留可能となる。
【００６０】
ここで、望ましくは、突出部１１Ｐを有する位置の坪量は、突出部１１Ｐを有しない位置の坪量の１．２〜４．０倍に設定されると良い。そして、このように設定されていれば、次のような問題を有効に回避可能となる。先ず１．２倍未満の場合には、突出部１１Ｐの突出高さＬ１１Ｐを大きく確保し難くなって十分な防漏性を奏し難くなるという問題を生じ、また、４．０倍を超える場合には、突出部１１Ｐを有する位置と突出部１１Ｐを有しない位置との間の剛性差が大きくなって尿取りパッド１の着用時に違和感を感じ易くなるという問題を生じるが、上記のように１．２〜４．０倍に設定されていれば、これらの問題を回避することができる。
【００６１】
ちなみに、具体的数値で言えば、例えば、突出部１１Ｐを有する位置の坪量は、５５０〜８５０（ｇ／ｍ２）の範囲に設定され、突出部１１Ｐを有さない位置の坪量は、２００〜５００（ｇ／ｍ２）の範囲に設定される。
【００６２】
次に、防漏壁部４０に対してなされた工夫について説明する。図５に示すように、防漏壁部４０が表面シート２１から起立し始める起立開始位置４１ｂｅは、防漏壁部４０に係る基端部４１ｂのうちで幅方向の中央側の縁部４１ｂｅの位置となっているが、ここで本実施形態では、防漏壁部４０に係る工夫として、この起立開始位置４１ｂｅを、吸収性コア１１の突出部１１Ｐの第１直線状部分１１Ｐ１に対応する位置に設定している。詳しくは、第１直線状部分１１Ｐ１の頂面１１Ｐ１ｔの上に起立開始位置４１ｂｅが位置するように位置合わせしながら、防漏壁部４０の基端部４１ｂを表面シート２１に固定している。そして、このようにしていれば、防漏壁部４０と第１直線状部分１１Ｐ１とが互い協同して、高い堰として機能し得て、これにより、幅方向の防漏性をより高めることができる。
【００６３】
また、以前に図２を参照しながら、「自由端部分４１ｆのうちの前端部４１ｆａと後端部４１ｆｂとの間に位置する中間部分４１ｆｍが、弾性部材４５によって起立する」旨を前述したが（図２）、ここで、上記の中間部分４１ｆｍの長手方向の範囲を所定範囲Ｒｍとした場合に、望ましくは、同所定範囲Ｒｍ内に、吸収性コア１１の突出部１１Ｐの一対の第２直線状部分１１Ｐ２，１１Ｐ２（「突出部のうちの長手方向の各端部」に相当）の少なくとも一部が含まれていると良い。  
そして、このようにされていれば、弾性部材４５の収縮力によって、各第２直線状部分１１Ｐ２，１１Ｐ２がそれぞれ肌側に持ち上げられて、これにより、着用者の肌との間の隙間を小さくすることができる。よって、長手方向に流れる尿を、各第２直線状部分１１Ｐ２，１１Ｐ２たる長手方向の各端部で確実に堰き止めることができる。
【００６４】
次に、ずれ止め用粘着部３３に対してなされた工夫について説明する。図４に示すように、このずれ止め用粘着部３３は、裏面シート３１の非肌側面における所定範囲に塗布されたホットメルト系接着剤である。そして、図４の例では、幅方向の左右に一対の帯状のずれ止め用粘着部３３，３３が、幅方向の中央線ＣＬＷを挟むように所定間隔を隔てつつ、裏面シート３１の前端部から後端部までに亘って連続して形成されている。  
ここで、本実施形態では、尿取りパッド１を厚さ方向から見た場合に、各ずれ止め用粘着部３３，３３は、吸収性コア１１の第１直線状部分１１Ｐ１の一部と重なるように設けられている。詳しくは、図４中にハッチングで示すように、各ずれ止め用粘着部３３のうちの幅方向の端側の部分が、それぞれ、最寄りの第１直線状部分１１Ｐ１のうちの幅方向の中央側の部分に、重なるように設けられている。  
よって、少なくとも第１直線状部分１１Ｐ１のうちの幅方向の中央側の部分は、下着に対して概ね相対移動不能に規制されて、これにより、着用者が下着を装着した際に当該下着が着用者の股間に沿わされるのに伴って、第１直線状部分１１Ｐ１及び同第１直線状部分１１Ｐ１の頂面１１Ｐｔ上に起立する防漏壁部４０は、着用者の股間に沿うようになる。そして、その結果として、第１直線状部分１１Ｐ１及び防漏壁部４０は、着用者の股間にほぼ密着した状態になって、長手方向及び幅方向からの尿漏れをより有効に防ぐことができる。
【００６５】
但し、ずれ止め用粘着部３３の形成パターンは、何等上記の一対の帯状パターンに限らない。例えば、一対のずれ止め用粘着部３３，３３の間の位置にもホットメルト系接着剤を塗布することによって、ずれ止め用粘着部３３を幅方向に連続する一領域として形成しても良い。また、ずれ止め用粘着部３３の幅方向の寸法を適宜設定することによって、厚さ方向から見た場合に、第１直線状部分１１Ｐ１の全部に重なるようにずれ止め用粘着部３３を形成しても良い。そして、このように形成すれば、第１直線状部分１１Ｐ１は、下着に対してより一層相対移動不能に規制されて、これにより、上記の作用効果を更に高めることができる。
【００６６】
次に、表面シート２１の圧搾部Ｅに対してなされた工夫について説明する。図２を参照して既述のように、表面シート２１の肌側面には、厚さ方向の肌側から表面シート２１及び吸収性コア１１の両者が一緒に圧搾されてなる圧搾部Ｅが形成されている。そして、本実施形態では、尿取りパッド１の本体部１ｓのうちで吸収性コア１１の突出部１１Ｐに囲まれた部分の幅方向の中央部１ｓＣｗには、上記圧搾部Ｅの一種として第１圧搾部Ｅ１が、長手方向に沿って一直線上に形成されている。例えば、図２の例では、第１圧搾部Ｅ１は、長手方向に長い複数（三つ）の溝部Ｈ１，Ｈ１，Ｈ１を有し、各溝部Ｈ１は、長手方向に隣り合う溝部Ｈ１との間に間隔をあけた状態に形成されている。また、同溝部Ｈ１は、尿取りパッド１の本体部１ｓの長手方向の中央線ＣＬＬを挟むように、中央線ＣＬＬよりも前側の部分及び後側の部分のそれぞれに対して形成されている。
【００６７】
そして、このような第１圧搾部Ｅ１が形成されていれば、下着を装着した着用者から股締め力の如き幅方向の中央側を向いた力Ｆが、幅方向の両側から尿取りパッド１の本体部１ｓに付与されると、図７の概略斜視図に示すように、第１圧搾部Ｅ１を折り起点として、尿取りパッド１の本体部１ｓが、幅方向の略中央位置で非肌側にへこむように折れ曲がり、これにより、突出部１１Ｐに囲まれた空間ＳＰ１１（図６Ａ乃至図６Ｃ）を拡大することができる。そして、その結果、同空間ＳＰ１１でより確実に尿を一時貯留可能となる。
【００６８】
ここで、望ましくは、図２の例のように、突出部１１Ｐに囲まれた部分のうちの長手方向の各端部に、第２圧搾部Ｅ２，Ｅ２が幅方向に一対並んで形成され、そして、各第２圧搾部Ｅ２が、長手方向の中央側から端側へ向かうに従って幅方向の中央側から端側へ向かうように設けられていると良い。なお、この例では、第２圧搾部Ｅ２は、全長に亘って一本の連続した溝部の形態で形成されている。
【００６９】
そして、このような第２圧搾部Ｅ２が形成されていれば、上記の股締め力Ｆの本体部１ｓへの作用下においては、第２圧搾部Ｅ２が上述の第１圧搾部Ｅ１と協同することにより、同本体部１ｓは、図７に示すようなカップ形状に変形する。すなわち、本体部１ｓの長手方向及び幅方向の両方向における中央部１ｓＣが非肌側にへこんだ形状になる。そして、これにより、上記の中央部１ｓＣについては股間から離れるが、当該中央部１ｓＣ以外の部分、つまり本体部１ｓのうちの長手方向の各端部１ｓＬｅ，１ｓＬｅ及び幅方向の各端部１ｓＷｅ，１ｓＷｅについては、それぞれ着用者の下腹部、臀部、及び股間に密着した状態になる。すなわち、本体部１ｓは、股間と協同して略閉じた空間を区画する。よって、当該空間に、切迫性失禁などで吸収性コア１１が瞬時に吸収し切れない分の尿を確実に一時貯留することができる。
【００７０】
ちなみに、上記の第１圧搾部Ｅ１及び第２圧搾部Ｅ２に基づいて、本体部１ｓが図７の如きカップ形状になり易い理由は、次の通りである。  
先ず、下着に取り付けられた尿取りパッド１の本体部１ｓに、着用者の股間から幅方向の中央側を向いた力Ｆ（図２）が、幅方向の両側から作用すると、図７に示すように、本体部１ｓは、第１圧搾部Ｅ１に起因して幅方向の中央部１ｓＣで非肌側にへこむように谷折りになる。  
一方、当該中央部１ｓＣよりも長手方向の端側の各部分には、それぞれ一対の第２圧搾部Ｅ２，Ｅ２が設けられているが、当該一対の第２圧搾部Ｅ２，Ｅ２は、その略Ｖ字形状に基づいて、長手方向の端側に向かうに従って第２圧搾部Ｅ２，Ｅ２同士の間隔が徐々に開いている。そのため、これら各部分では、第１圧搾部Ｅ１起因の谷折りの影響が、長手方向の端側に向かうに従って徐々に緩和されていき、これにより、一対の第２圧搾部Ｅ２，Ｅ２よりも長手方向の端側の部分たる端部１ｓＬｅ，１ｓＬｅは、概ね長手方向と幅方向とで規定される平面に沿った平面状になる。そして、その結果として、上記中央部１ｓＣ以外の部分、つまり本体部１ｓの長手方向の各端部１ｓＬｅ，１ｓＬｅ及び幅方向の各端部１ｓＷｅ，１ｓＷｅについては、それぞれ着用者の下腹部、臀部、及び股間に密着しつつ、上記中央部１ｓＣについては股間から離れた形状に本体部１ｓは変形する。つまり、本体部１ｓは、カップ形状になる。
【００７１】
なお、図２や図７では、詳細には図示していないが、第１圧搾部Ｅ１の溝部Ｈ１及び第２圧搾部Ｅ２の溝部は、それぞれ、深さが互いに異なる深部と浅部とを有している。しかし、何等これに限らない。すなわち、溝部の深さが、全長に亘って一定であっても良い。また、場合によっては、第１圧搾部Ｅ１及び第２圧搾部Ｅ２が複数の島状のへこみ部で形成されていても良いし、更に、各へこみ部の底面の形状が、円形や矩形であっても良い。
【００７２】
このような尿取りパッド１は、適宜な製造装置によって、例えば次のようにして製造される。  
先ず、積繊装置によって吸収性コア１１が生成される。詳しくは、積繊装置は、例えば上面を搬送面として搬送対象物を吸着しながら搬送するサクションベルトコンベアと、その上方に配されて回転する回転ドラムと、を有する。
【００７３】
回転ドラムは、外周面にへこみ部を有し、へこみ部は、液体吸収性素材を吸着する吸着機能を有する。また、へこみ部の底部には、更に深いへこみ部が、上記の吸収性コア１１の突出部１１Ｐに対応して形成されている。よって、適宜なダクトから散布される液体吸収性素材を、この外周面のへこみ部が吸着して堆積することにより、上述の環状の突出部１１Ｐを有した吸収性コア１１が生成される。そして、生成された吸収性コア１１は、サクションベルトコンベアによって、搬送方向の下流側へ送られる。
【００７４】
搬送方向の下流側の所定位置では、一対のサイドシート４１の連続体が組み付けられた表面シート２１の連続体が下方から合流する。すなわち、表面シート２１の連続体の幅方向の両側には、それぞれ各サイドシート４１の連続体が熱溶着等で固定されており、また、各サイドシート４１の連続体には、既に伸長状態で弾性部材４５，４５…が固定されている。そして、このような表面シート２１の連続体の上に吸収性コア１１が載置される。そして、その後は、かかる吸収性コア１１と表面シート２１とが一体となって搬送方向に搬送されて、これにより、搬送方向の下流側のエンボスロール装置へと送られる。
【００７５】
エンボスロール装置は、例えば回転する上下一対のロールを有し、そのうちの下ロールの外周面には、第１圧搾部Ｅ１等の圧搾部Ｅに対応した形状の突起部が設けられている。よって、エンボスロール装置を通過する際に、表面シート２１の連続体と吸収性コア１１との両者には圧搾部Ｅが形成され、そして、更に搬送方向の下流側へ送られる。
【００７６】
搬送方向の下流側の所定位置では、上方から裏面シート３１の連続体が合流する。そして、吸収性コア１１を載置した表面シート２１の連続体を裏面シート３１の連続体が上方から覆うことにより、表面シート２１の連続体と裏面シート３１の連続体との間に吸収性コア１１が介挿された状態にされ、かかる状態のまま、その下流のラウンドシール装置へと送られる。  
ちなみに、この時点では、既に裏面シート３１の非肌側面には、ホットメルト系接着剤が塗布などされていて、これにより、ずれ止め用粘着部３３，３３が形成済みであるが、かかるずれ止め用粘着部３３，３３の粘着性を保護する目的で、同粘着部３３，３３は、剥離シート等の保護シートで覆われている。
【００７７】
ラウンドシール装置は、例えば回転する上下一対のロールを有し、そのうちの下ロールの外周面には、尿取りパッド１の輪郭形状に対応した形状の突起部が設けられている。よって、ラウンドシール装置を通過する際に、表面シート２１の連続体と裏面シート３１の連続体との両者は、尿取りパッド１における長手方向の各端部及び幅方向の各端部に相当する位置で互いに熱溶着等で接合される。そして、これにより、尿取りパッド１の連続体が生成され、かかる尿取りパッド１の連続体は、更に搬送方向の下流側のダイカッター装置へと送られる。
【００７８】
ダイカッター装置は、回転する一対のロールを有し、そのうちの一方のロールの外周面には、尿取りパッド１の輪郭形状に対応した形状の抜き刃を有している。よって、尿取りパッド１の連続体がダイカッター装置を通過する際に、抜き刃によって尿取りパッド１の連続体から尿取りパッド１が個別に打ち抜かれて、これにより、単票状の尿取りパッド１が生成される。
【００７９】
図８は、本実施形態の変形例の尿取りパッド１の説明図である。ちなみに、同図８は、図２中のＢ−Ｂ断面図に相当する図である。  
上述の実施形態では、吸収性コア１１の構造が、吸収性コア１１を一つだけ有した単層構造であったが、この点につき、この変形例の吸収性コア１１の構造は、図８に示すように、厚さ方向に複数の一例としての二つの吸収性コア１１，１１が重ね合わせられてなる二層構造である点で相違する。なお、これ以外の点は、上述の実施形態と概ね同じである。よって、以下では、上述の実施形態と同じ構成については同じ符号を付して、その説明については省略する。
【００８０】
図８に示すように、二つの吸収性コア１１，１１の各平面形状は、互いにほぼ同形であり、また、どちらの吸収性コア１１，１１も、その外周縁部の全周に亘って厚さ方向の肌側に突出する環状の突出部１１Ｐを有している。そして、互いの外周縁部同士が重なるように位置合わせされながら、二つの吸収性コア１１，１１は、厚さ方向に重ね合わせられている。なお、ティッシュペーパー等の液透過性シートで被覆される場合には、これら二つの吸収性コア１１，１１が重なった状態で二つ一緒に同シートに覆われる。
【００８１】
そして、かかる変形例によれば、突出部１１Ｐの吸液可能容量を高く確保しながら、着用時の突出部１１Ｐによる違和感についても抑制することができる。詳しくは次の通りである。突出部１１Ｐの突出高さＬ１１Ｐが高い場合には、突出部１１Ｐが着用者の股間に強く当たるなどして、着用者は違和感を感じ易い。一方、突出部１１Ｐの突出高さＬ１１Ｐを低くすると、突出部１１Ｐの吸液可能容量が低くなる恐れがある。ここで、着用時に股間に当たるのは、最も肌側に位置する吸収性コア１１だけである。よって、各吸収性コア１１，１１の突出部１１Ｐの突出高さＬ１１Ｐを例えば半分に低くしながら、当該突出高さＬ１１Ｐを低くした吸収性コア１１，１１を厚さ方向に二つ重ね合わせれば、突出部１１Ｐ，１１Ｐの突出高さＬ１１Ｐの合計値で概ね決まる吸液可能容量を高く維持しながら、一つの吸収性コア１１の突出部１１Ｐの突出高さＬ１１Ｐで概ね決まる股間の違和感を抑制することができる。
【００８２】
ちなみに、この変形例では、液体吸収性素材の坪量の分布パターンを二つの吸収性コア１１，１１同士で互いに同じにしているが、何等これに限らず、場合によっては、相違させても良い。また、突出部１１Ｐの突出高さＬ１１Ｐについても、二つの吸収性コア１１，１１同士で互いに同じにしているが、何等これに限らず、場合によっては、相違させても良い。更に、吸収性コア１１，１１…を三つ以上厚さ方向に重ね合わせても良い。
【００８３】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８４】
上述の実施形態では、下着に取り付けられて使用される吸収性物品の一例として、尿取りパッド１を挙げたが、何等これに限らない。例えば、尿に代えて経血を吸収する生理用ナプキンであっても良い。
【００８５】
上述の実施形態では、図６Ａ乃至図６Ｃに示すように、吸収性コア１１は、その肌側面の外周縁部に沿って厚さ方向の肌側に突出する突出部１１Ｐを有していたが、何等これに限らない。例えば、図９Ａ乃至図９Ｃに示すように、吸収性コア１１の肌側面の外周縁部よりも幅方向及び長手方向の若干中央側の位置に環状に突出部１１Ｐが形成されていても良い。ちなみに、図９Ａは、尿取りパッド１のうちで吸収性コア１１以外のものを透視して示す概略平面図であり、図９Ｂ及び図９Ｃは、それぞれ図９Ａ中のＢ−Ｂ断面図及びＣ−Ｃ断面図であって、吸収性コア１１のみを示す図である。
【００８６】
上述の実施形態では、図６Ａに示すように、吸収性コア１１の形状は略矩形平板形状であり、つまり、吸収性コア１１の平面形状は矩形形状であったが、何等これに限らない。例えば、図９Ａ乃至図９Ｃに示すように、平面形状が略砂時計形状であっても良い。
【００８７】
上述の実施形態では、図６Ｂ及び図６Ｃに示すように、吸収性コア１１の突出部１１Ｐに係る第１直線状部分１１Ｐ１及び第２直線状部分１１Ｐ２の断面形状を、略台形形状にしていたが、何等これに限らない。例えば、長方形や正方形にしても良い。また、上述の実施形態では、第１直線状部分１１Ｐ１の略台形の断面形状が、長手方向に亘って一定に維持されていたが、場合によっては、長手方向の位置に応じて断面形状が若干変化していても良い。すなわち、第１直線状部分１１Ｐ１の帯状の頂面１１Ｐ１ｔが、長手方向に平行であって、同頂面１１Ｐ１ｔの幅寸が長手方向に亘って一定であれば、下着上の適正位置から尿取りパッド１が長手方向に位置ずれした際にも、概ね所期の防漏性を確保することができる。そのため、長手方向の位置に応じて、第１直線状部分１１Ｐ１の断面形状が若干変化していても良い。
【００８８】
上述の実施形態では、一対の第１直線状部分１１Ｐ１，１１Ｐ１同士を互いに同形状にしていたが、何等これに限らず、互いに異なる形状にしても良い。すなわち、請求項に係る「一対の直線状部分を幅方向に並んで有し」に記載の「一対」の意味は、「二つそろって、ひと組として扱われるもの」の意味である。従って、一方の第１直線状部分１１Ｐ１の断面形状を台形にして他方を矩形にするというように互いの断面形状を異ならせても良いし、または、頂面１１Ｐ１ｔの幅寸を、両者１１Ｐ１，１１Ｐ１同士で互いに異ならせても良いし、更には、突出高さＬ１１Ｐ１を、両者１１Ｐ１，１１Ｐ１同士で互いに異ならせても良い。  
なお、「一対」の意味を上記のように解釈すべきことは、明細書中の他の構成の記載についても同様である。例えば、「一対の第２直線状部分１１Ｐ２，１１Ｐ２」についても同様であるし、また、「一対の第２圧搾部Ｅ２，Ｅ２」についても同様である。
【符号の説明】
【００８９】
１  尿取りパッド（吸収性物品）、
１ｓ  本体部、１ｓＣｗ  中央部、
１ｓＣ  中央部、１ｓＬｅ  端部、１ｓＷｅ  端部、
１１  吸収性コア、１１Ｃ  中央部、
１１Ｐ  突出部、
１１Ｐ１  第１直線状部分（直線状部分）、１１Ｐ１ｔ  頂面、
１１Ｐ２  第２直線状部分、１１Ｐ２ｔ  頂面、
２１  表面シート、３１  裏面シート、
３３  ずれ止め用粘着部（粘着部）、
４０  防漏壁部、
４１  サイドシート（シート状部材）、
４１ｂ  基端部、４１ｂ１  前端部、４１ｂ２  後端部、４１ｂ３  中間部、
４１ｂｅ  縁部（起立開始位置）、
４１ｆ  自由端部分、４１ｆａ  前端部、４１ｆｂ  後端部、４１ｆｍ  中間部分、
４１ｓ  部分、
４５  弾性部材、
Ｅ  圧搾部、
Ｅ１  第１圧搾部（圧搾部）、Ｈ１  溝部、
Ｅ２  第２圧搾部、
Ｒｍ  所定範囲、
ＣＬＬ  長手方向の中央線（長手方向の中央位置）、ＣＬＷ  幅方向の中央線、
ＳＰ１１  空間、
【要約】      （修正有）【課題】切迫性失禁などのように大量の排泄液を一気に排出した場合でも、外部への漏出を有効に防止可能であるとともに、下着に吸収性物品を取り付ける際に、同下着上の適正位置から長手方向にずれて取り付けた場合でも、防漏性を大きく損なうことなく概ね所期の防漏性を発揮可能にする。【解決手段】吸収性コア１１は、厚さ方向の肌側を向いた面に、肌側に突出する突出部１１ｐを有する。突出部１１ｐは、吸収性コア１１における長手方向の中央部を囲む環状に形成されているとともに、突出部１１ｐのうちの幅方向の各端部として、長手方向に平行な一対の直線状部分１１Ｐ１，１１Ｐ２を幅方向に並んで有する。本体部のうちで厚さ方向の肌側を向いた面には、長手方向に沿って防漏壁部が設けられているとともに、防漏壁部が前記面から起立し始める起立開始位置が、前記直線状部分に対応する位置に設定されている。【選択図】図６【図１】
0005422768.tif 000002
【図２】
0005422768.tif 000003
【図３】
0005422768.tif 000004
【図４】
0005422768.tif 000005
【図５】
0005422768.tif 000006
【図６】
0005422768.tif 000007
【図７】
0005422768.tif 000008
【図８】
0005422768.tif 000009
【図９】
0005422768.tif 000010